(57)【特許請求の範囲】
【請求項１】
固定ケース１０に蓋ケース５０を着脱自在に組み付けてケーブル配索孔１１，１２が形成されたケース本体を構成し、該ケース本体内に前記ケーブル配索孔１１，１２から光ファイバ心線とテンションメンバとを有する光ケーブルと、テンションメンバを有さないインドアケーブルとを導入し、該光ケーブルのテンションメンバを前記ケース本体に止着して前記光ファイバ心線をインドアケーブルの光ファイバ心線と互いに接続する光ケーブル接続用収納ケースにおいて、
前記固定ケース１０に止着孔１６および該止着孔１６の周面に開口する差込スリット１９を形成するとともに、端部に把持レバー９が設けられ、かつ、中間部に径方向に貫通する差込孔７が形成された止着部材１４を前記止着孔１６内に回動自在に嵌装し、前記テンションメンバを前記差込スリット１９および前記止着孔１６を介して差込孔７に挿通し、前記止着部材１４を回動させて止着する保持部１３を形成し、
前記ケーブル配索孔１１，１２に連らなり前記保持部１３に対設される配索溝１５に挿入されるインドアケーブルを係止するインドアケーブル把持具１７が前記配索溝１５に着脱自在に止着されて配索溝１５内のインドアケーブルを固着することを特徴とする光ケーブル接続用収納ケース。
【請求項２】
前記インドアケーブル把持具１７が、ポリプロピレン樹脂からなる断面エ字形状部材で両側のガイド溝により前記配索溝１５に嵌入されるものであって、配索溝１５を形成する壁面に備えた係止部２０に係止される爪部２１と、ケーブルを押圧する当接凸部２２とを備えた請求項１記載の光ケーブル接続用収納ケース。
【請求項３】
前記固定ケース１０が、ケーブルを巻き付ける環状壁からなるケーブル巻回部３１及びケーブル押え片３３と心線接続用のコネクタ保持部３２とを備えた心線収納部３０を着脱自在にケース内に嵌装した請求項１または２記載の光ケーブル接続用収納ケース。
【請求項４】
前記固定ケース１０が、テンションメンバを止着する止着孔１６のある保持部１３を配索溝１５に対向配備し、該配索溝１５に臨む保持部１３の外周壁面にインドアケーブルをインドアケーブル把持具１７で挾持できる構成とした請求項１，２または３記載の光ケーブル接続用収納ケース。
【発明の詳細な説明】
【０００１】
【発明の属する技術分野】
この発明は、テンションメンバと光ファイバ心線とを有する光ケーブルとテンションメンバを有さないインドアケーブルとの光ファイバ心線の接続に用いる光ケーブル接続用収納ケース、詳しくは、ケース本体にテンションメンバを有する光ケーブルとテンションメンバを有さないインドアケーブルとの各ケーブルを止着状態に保持するようにした光ケーブル接続用収納ケースに関する。
【０００２】
【従来の技術】
光ファイバ心線とテンションメンバを有する光ケーブルの接続に際しては、テンションメンバを止着することが不可欠である。このため、従来では、光ケーブル接続用収納ケースにねじ穴を形成し、このねじ穴に螺合するねじ部材にテンションメンバの端部を巻き付けて工具を用いて止着することが行われていた。
【０００３】
【発明が解決しようとする課題】
しかしながら、従来の光ケーブル接続用収納ケースにあっては、ねじ部材が経時的な緩みを生じやすく、テンションメンバやケーブルが外れるおそれがあるという問題があった。この問題は、ロックナット等の部材を設けること、あるいは、ねじ部材の再締め付けを定期的に行うことで解決できると考えられるが、前者にあっては構造が複雑化するのみならずテンションメンバやケーブルの止着作業が煩雑化するという新たな問題を生じ、また、後者にあっては光ケーブル接続用収納ケースの厖大な量の点検工数が必要になるという新たな問題を生じる。
本発明は、従来の欠点を排除しようとするもので、テンションメンバやインドアケーブルを経時的な緩みを生じることなく止着でき、また、止着作業も容易に行うことができ取扱い容易な光ケーブル接続用収納ケースを提供することを目的とする。
【０００４】
【課題を解決するための手段】
本発明は、固定ケースに蓋ケースを着脱自在に組み付けてケーブル配索孔が形成されたケース本体を構成し、該ケース本体内に前記ケーブル配索孔から光ファイバ心線とテンションメンバを有する光ケーブルと、テンションメンバを有さないインドアケーブルとを導入し、該光ケーブルのテンションメンバを前記ケース本体に止着して前記光ファイバ心線をインドアケーブルの光ファイバ心線と接続する光ケーブル接続用収納ケースにおいて、前記固定ケースに止着孔および該止着孔の周面に開口する差込スリットを形成するとともに、端部に把持レバーが設けられ、かつ、中間部に径方向に貫通する差込孔が形成された止着部材を前記止着孔内に回動自在に嵌装し、前記テンションメンバを前記差込スリットおよび前記止着孔を介して差込孔に挿通し、前記止着部材を回動させて止着する保持部を形成し、前記ケーブル配索孔に連らなり前記保持部に対設される配索溝に挿入されるインドアケーブルを係止するインドアケーブル把持具が前記配索溝に着脱自在に止着されて配索溝内のインドアケーブルを固着するものである。
【０００５】
【発明の実施の形態】
この発明にかかる光ケーブル接続用収納ケースは、固定ケースに備えたテンションメンバ保持部の止着孔に止着部材を挿通して止着部材の差込孔と差込スリットとを連続させ、これら連続した差込孔と差込スリットに光ケーブルのテンションメンバを挿通し、止着部材を操作部の操作で止着位置まで回動させると、テンションメンバが止着孔と止着部材との間に挟持・止着される。そして、光ケーブルはコネクタで接続して余長心線は心線収納部に巻き取りコネクタを保持した心線収納部を固定ケース内に嵌着する。一方、インドアケーブルは、保持部に対設された配索溝にケーブルを通しインドアケーブル把持具を嵌入するだけの簡易操作で止着しワンタッチ式でケーブル把持ができる。この後に、蓋ケースを組み付けると、ケースに形成された保持部が止着部材の操作レバー或いはインドアケーブル把持具に係合し、止着部材の回動を禁止、すなわち、止着部材がテンションメンバを止着した位置に保持されるし、インドアケーブル把持具の抜けも防止され、このため、テンションメンバやインドアケーブルの止着が外れることが確実に防止できる。なお、テンションメンバを有さないインドアケーブルの場合は、保持部に対設された配索溝にインドアケーブルを通しインドアケーブル把持具を嵌入するだけで足りる。
【０００６】
【実施の形態】
以下、この発明の実施例を図１乃至図９を参照して説明すると、図９に示すように、幹線光ケーブルＡに設けられた架空クロージャＢから分岐した分岐光ケーブルＣが本発明にかかる光ケーブル接続用収納ケース１に導入され、この光ケーブル接続用収納ケース１から建物Ｄ内に向けて引込光ケーブルＥが分岐配索される。前記光ケーブル接続用収納ケース１は光コンセントとして用いることも可能であり、光コンセントとして用いた場合は壁埋め込み式、あるいは、壁外付け式のいずれの形式に構成することも可能であるが図示例では建物Ｄ内に設置された光コンセントＦを介して建物Ｄ内に配索されたターミネーションケーブルＧでＯＮＵ２に接続して用いられるものである。
【０００７】
光ケーブル接続用収納ケース１（以下、単にケースと称する）は、図１乃至図５に示す如く建物Ｄの外壁面に取り付けられる固定ケース１０と、この固定ケース１０を被蓋する蓋ケース５０を有し、これらが組み付けられてケースを構成する。固定ケース１０は、樹脂の射出成形等により成形され、ケーブル導入用の配索孔１１，１２が形成され、該ケーブル配索孔１１，１２から光ファイバ心線とテンションメンバを有する光ケーブルとテンションメンバを有さないインドアケーブルとを導入し、該光ケーブルのテンションメンバを前記ケースに止着する保持部１３を備える。この保持部１３としては、止着孔１６および該止着孔１６の周面に開口する差込スリット１９を形成するとともに、端部に把持レバーが設けられ、かつ中間部８に径方向に貫通する差込孔７が形成された止着部材１４を前記止着孔１６内に回動自在に嵌装し、前記テンションメンバを前記差込スリット１９および前記止着孔１６を介して差込孔７に挿通し、前記止着部材１４を回動させて止着する保持部１３としてある。
【０００８】
そして前記ケーブル配索孔１１，１２に連らなり、前記保持部１３に対設される配索溝１５に挿入されるインドアケーブルＩを係止するインドアケーブル把持具１７が前記配索溝１５に着脱自在に止着されて配索溝１５内のインドアケーブルＩを固着するように構成されている。このテンションメンバを止着する止着孔１６のある保持部１３は、配索溝１５に対向配備し、該配索溝１５に臨む保持部１３の外周壁面にインドアケーブルＩをインドアケーブル把持具１７で挾持できる構成とするのがよい。
【０００９】
前記インドアケーブル把持具１７としては、ポリプロピレン樹脂からなる断面エ字形状部材で両側のガイド溝１８，１８により前記配索溝１５に嵌入されるものであって、配索溝１５を形成する壁面に備えた係止部２０に係止される爪部２１と、ケーブルを押圧する当接凸部２２，２２とを備えたものを用い、工具なしでワンタッチでケーブル止着できるようにしてあり、蓋ケース５０を組込んだ際に蓋ケース５０に設けた当部材が接触して脱抜防止機構となるように配慮されている。
【００１０】
また、前記固定ケース１０には、ケーブル巻回部３１とコネクタ保持部３２が区画された心線収納部３０が着脱自在に嵌装されるが、ケーブル巻回部３１はケーブルを巻き取る環状壁及び押え片３３とからなり心線接続用のコネクタを収納するコネクタ保持部３２を両サイドに備えた心線収納部３０としてあって、固定ケース１０の側壁と心線収納部壁に対応形成した嵌合係止部３４，３５で固定ケース１０に着脱自在に嵌着できるようにしてある。
【００１１】
図５，６，７に詳示するように、前記止着部材１４は止着孔１６に回動自在に嵌装され、この止着孔１６には、表側開口部分の上下に条溝状の差込スリット１９が開口する。該差込スリット１９は、止着孔１６に連続し、この部分に嵌合される止着部材１４の中間部８の差込孔７に開口し、この差込スリット１９及び差込孔７には光ケーブルのテンションメンバが差し込まれる。
【００１２】
前記配索溝１５は、表面側が開口する所定深さの溝であって、ケーブル導入用の配索孔１１，１２に連通して上下に縦断する（図２〜５参照）。この配索溝１５には光ケーブル或いはインドアケーブルのいずれかが配索され、光ケーブルは光ファイバ心線が配索溝１５を経てケーブル巻回部３１及び接続部３２に導かれ、また、テンションメンバが配索溝１５から差込スリット１９に差し込まれて止着孔１６内で止着部材１４によって止着される。また、インドアケーブルＩの場合は配索溝１５から挿入して保持部１３の外周にインドアケーブル把持具１７で押しつけ挾持すればよい。（図５）
【００１３】
また、前記固定ケース１０には、蓋ケース５０が取り付けられる嵌合係止部が突設され、これに嵌合する嵌合孔の係止部が蓋ケース５０側に備えられると共に、前記把持レバー９及びインドアケーブル把持具１７に当接する当部または引掛部を蓋ケース５０に設けてロック機能をはたすようにするのがよい。
【００１４】
なお、前記心線収納部３０は、ケーブル巻回部３１を中央部分に区画し、左右両側にそれぞれコネクタ保持部３２を区画する複数の突起が突設される。前記ケーブル巻回部３１には先端部にケーブル導入部に向かって放射状に延出するケーブル押え片３３が一体形成される。これらケーブル押え片３３はケーブル巻回部３１の廻りに巻回された光ケーブルを抑えて保持する。コネクタ保持部３２にはコネクタ３が収容され、このコネクタ３により光ファイバ心線が接続される。
【００１５】
なお、２５は固定ケース１０に形成された取付孔であり、固定ケース１０は取付孔２５を貫通するねじやビスにより建物Ｄの外壁に固定される。
【００１６】
前記止着部材１４は、図７に示すように、両端に大径部６，６を、またこれら大径部６，６間に小径の中間部８を有するロッド状部材から構成され、前記止着孔１６に大径部６の端面を表側に臨ませて回動自在に挿通される。この止着部材１４には、大径部６の一端面に操作用の把持レバー９が形成され、また、中間部８に周面に開口する差込孔７が形成されている。この止着部材１４は、差込孔７が差込スリット１９と連続した状態でテンションメンバの端部が差込孔７に差し込まれ、この状態から把持レバー９により回動されて（以下、止着位置と称する）テンションメンバを止着保持する。
【００１７】
この実施の形態にかかる光ケーブル接続用収納ケース１にあっては、分岐光ケーブルＣと引込光ケーブルＥの接続に際しては、先ず、固定ケース１０を建物Ｄの外壁面にビス等を用いて固定し、分岐光ケーブルＣと引込光ケーブルＥをそれぞれ配索溝１５に、例えば、分岐光ケーブルＣを一方の配索孔１１を経て、また引込光ケーブルＥを他方の配索孔１２を経て配索溝１５に通す。そして、各光ケーブルの光ファイバ心線は心線収納部３０のコネクタ保持部３２に導いてコネクタ３により接続し、その余長部分はケーブル巻回部３１に巻き取って保持する。
【００１８】
また、光ケーブルのテンションメンバは、差込スリット１９を経て止着孔１６に導いて止着部材１４により止着する。すなわち、先ず、止着部材１４を差込孔７が差込スリット１９と連続する位置に位置させた後、テンションメンバの端部を差込スリット１９から差込孔７に挿通する。次いで、止着部材１４の把持レバー９により回動して、テンションメンバの端部を止着部材１４と止着孔１６の内周面との間に挟着保持する。また、インドアケーブルＩは配索溝１５から挿入して配索溝１５にインドアケーブル把持具１７を嵌め込んで押圧して保持部１３に挾持するだけでよい。
【００１９】
この後、固定ケース１０の心線収納部３０を蓋ケース５０により被蓋して蓋ケース５０を固定ケース１０に取り付ける。ここで、蓋ケース５０は内面の保持突起などの当片が、固定ケース１０の止着部材１４及びインドアケーブル把持具１７に当接してロックされ移動を禁止する。したがって、止着部材１４及びインドアケーブル把持具１７により止着されたテンションメンバまたはインドアケーブルは緩みを生じることを防止できる。
この実施の形態は、止着部材１４の大径部６に径方向に延出する把持レバー９を手動操作可能に一体形成する。そして、固定ケース１０には止着部材１４の止着位置で把持レバー９を収容する凹部等のレバー収容部が形成され、また、蓋ケース５０の内面には被蓋状態でレバー収容部に位置する把持レバー９を押圧保持あるいは嵌着保持する保持部が形成され、ドライバ等の工具を用いることなく把持レバー９の手動操作で行えるため、ケーブル接続作業が容易である。
また、上述した各実施の形態では、蓋ケース５０を固定ケース１０に取り付けることで止着部材１４の廻り止めと押さえ（浮き上がりの防止）を行うが、蓋ケース５０によって浮き上がりの防止のみを行わせることも可能である。そして、この場合には、止着部材１４の端部に四角形等の異形断面の廻り止め部を形成するとともに、固定ケース１０の止着孔１６底面に廻り止め部が嵌合可能な同一形状の廻り止め穴を形成し、止着部材１４の廻り止め部を廻り止め穴と位相が異なる状態で挿入して廻り止め部の端面が廻り止め穴の開口縁部に乗り上げた状態でテンションメンバを差込孔７に差し込んだ後、止着部材１４を所定の角度だけ回動させて廻り止め部を廻り止め穴に嵌合させ、取り付けた蓋ケース５０の内面で止着部材１４の浮き上がりを防止するように構成することもできる。
【００２０】
【発明の効果】
本発明にかかる光ケーブル接続用収納ケースによれば、ケーブル配索孔に連らなりテンションメンバの保持部に対設される配索溝に挿入されるインドアケーブルを係止するインドアケーブル把持具が前記配索溝に着脱自在に止着されて配索溝内のインドアケーブルを固着したことにより、テンションメンバは保持部に差し込みレバーを回転するだけの容易な作業で止着できると共に、インドアケーブルもインドアケーブル把持具を挿入するだけの容易なワンタッチで作業でき、しかも工具なしで作業性を大巾に向上でき、心線収納部ではコネクタ保持部で心線接続後にコネクタプラグとアダプタとの接続が可能であって接続部材の固定も一元的収納部に集約して収納も簡単で安全確実なケーブル把持が可能で構成も簡単で安価な形態であり、かつテンションメンバ或いはインドアケーブルを確実に止着でき、経時的な緩みも有効に防止できるという効果が得られる。
また、従来の欠点を排除し、テンションメンバやインドアケーブルを経時的な緩みを生じることなく止着でき、また、止着作業も容易に行うことができテンションメンバを有する光ケーブルとテンションメンバを有さない光ケーブルの併用が可能で取扱い容易な光ケーブル接続用収納ケースを提供することができる。
【図面の簡単な説明】
【図１】  本発明の一の実施の形態に係る光ケーブル接続用収納ケースの一態様を示す蓋ケースを外したもので、（ａ）はその正面図、（ｂ）は側面図、（ｃ）は平面図である。
【図２】  図１の光ケーブル接続用収納ケースに用いられるケーブル把持具を示し、（ａ）はその正面図、（ｂ）は平面図、（ｃ）は側面図、（ｄ）は使用状態の斜視図である。
【図３】  図１の例の使用状態を示す斜視図である。
【図４】  図１の例を用いた分離状態の正面図である。
【図５】  図３の例の一部の詳細斜視図である。
【図６】  図４の例のテンションメンバ保持部の詳細を示し、（ａ）は図４のＡ−Ａ線における拡大縦断面図、（ｂ）はその正面図である。
【図７】  図４の例の光ケーブル接続用収納ケースに用いる止着部材を示し、（ａ）はその側面図、（ｂ）はその正面図である。
【図８】  図４の例の心線収納部の拡大詳細を示し、（ａ）はその背面図、（ｂ）は一部切断側面図、（ｃ）は一部切断正面図である。
【図９】  本発明の使用状態を示す光ケーブルの配索態様の模式図である。
【符号の説明】
Ｃ          分岐光ケーブル
Ｅ          引込光ケーブル
１          光ケーブル接続用収納ケース
７          差込孔
８          中間部
９          把持レバー
１０        固定ケース
１１，１２  配索孔
１３        保持部
１４        止着部材
１５        配索溝
１６        止着孔
１７        インドアケーブル把持具
１８        ガイド溝
１９        差込スリット
２０        係止部
２１        爪部
２２        当接凸部
３０        心線収納部
３１        ケーブル巻回部
３２        コネクタ保持部
３３        ケーブル押え片
５０        蓋ケース
【図１】
0003791961.tif 000002
【図２】
0003791961.tif 000003
【図３】
0003791961.tif 000004
【図４】
0003791961.tif 000005
【図５】
0003791961.tif 000006
【図６】
0003791961.tif 000007
【図７】
0003791961.tif 000008
【図８】
0003791961.tif 000009
【図９】
0003791961.tif 000010